(57)【要約】【課題】電池の消耗を抑えること。【解決手段】近距離無線通信部は、近距離無線通信を行う。検知部は、自装置のおかれている環境に関する環境情報を検知する。異常状態判定部は、前記検知部が検知した環境情報に基づいて異常状態にあるか否かを判定する。制御部は、前記異常状態判定部が異常状態にあると判定したとき、前記近距離無線通信部を介して前記近距離無線を行う近距離無線通信制御部を備える。【選択図】図２
2013251718.tif 000002
【特許請求の範囲】
【請求項１】
近距離無線通信を行う近距離無線通信部と、
自装置のおかれている環境に関する環境情報を検知する検知部と、
前記検知部が検知した環境情報に基づいて異常状態にあるか否かを判定する異常状態判定部と、
前記異常状態判定部が異常状態にあると判定したとき、前記近距離無線通信部を介して前記近距離無線通信を行う近距離無線通信制御部と、
を備えることを特徴とする携帯通信装置。
【請求項２】
情報を送信する情報送信部を備え、
前記異常状態判定部が異常状態にあると判定した場合、前記検知部が検知した前記環境情報を予め登録された宛先へ、前記情報送信部を介して送信する情報送信制御部を備える
ことを特徴とする請求項１記載の携帯通信装置。
【請求項３】
音を出力する音出力部を備え、
前記異常状態判定部が異常状態にあると判定した場合、前記音出力部に音を出力させる音制御部を備える
ことを特徴とする請求項１又は請求項２記載の携帯通信装置。
【請求項４】
前記検知部は、自装置にかかる圧力及び自装置の外部の温度変化を示す外部環境情報を、前記環境情報として検知する圧力温度検知部を備え、
前記異常状態判定部は、予め定められた閾値と前記外部環境情報とに基づいて異常状態にあるか否かを判定する
ことを特徴とする請求項１から請求項３のいずれかに記載の携帯通信装置。
【請求項５】
前記検知部は、自装置が移動していることを示す移動環境情報を、前記環境情報として検知する移動検知部を備え、
前記異常状態判定部は、予め定められた閾値と前記移動環境情報とに基づいて自装置が落下していることを判定する
ことを特徴とする請求項１から請求項４のいずれかに記載の携帯通信装置。
【請求項６】
前記検知部は、自装置の位置を示す位置環境情報を、前記環境情報として検出する位置検知部を備え、
前記異常状態判定部は、予め定められた閾値及びルートと前記位置環境情報とに基づいて異常状態にあるか否かを判定する
ことを特徴とする請求項１から請求項５のいずれかに記載の携帯通信装置。
【請求項７】
携帯者の操作を検出する操作部と、
前記操作又は前記環境情報に基づいて前記異常状態の判定を開始するか否かを判定する監視開始判定部と、を備える
ことを特徴とする請求項１から請求項６のいずれかに記載の携帯通信装置。
【請求項８】
携帯通信装置における通信方法であって、
検知部が、前記携帯通信装置のおかれている環境に関する環境情報を検知する検知過程と、
異常状態判定部が、前記検知過程で検知した環境情報に基づいて異常状態にあるか否かを判定する異常状態判定過程と、
近距離無線通信制御部が、前記異常状態判定過程で異常状態にあると判定したとき、近距離無線通信を行う近距離無線通信制御過程と、
を有することを特徴とする通信方法。
【請求項９】
携帯通信装置のコンピュータに、
前記携帯通信装置のおかれている環境に関する環境情報を検知する検知手段、
前記検知手段で検知した環境情報に基づいて異常状態にあるか否かを判定する異常状態判定手段、
前記異常状態判定手段で異常状態にあると判定したとき、近距離無線通信を行う近距離無線通信制御手段、
を実行させるためのプログラム。
【発明の詳細な説明】
【技術分野】
【０００１】
本発明は、携帯通信装置、通信方法、及びプログラムに関する。
【背景技術】
【０００２】
近年、登山者は、登山の際に、携帯通信装置を携帯する。登山者は、雪崩によって遭難した場合、その携帯通信装置に近距離無線でビーコンを送信させる。救助者は、そのビーコンを、救助者の携帯通信装置で受信する。そして、救助者は、その携帯通信装置が受信したビーコンに基づいて、遭難した登山者の位置を特定する。
特許文献１には、携帯通信装置が、所定期間基地局装置の圏外にあるとき、近距離無線で、ビーコンを送信することが記載されている。
【先行技術文献】
【特許文献】
【０００３】
【特許文献１】特開２００７−１０４５０６号公報
【発明の概要】
【発明が解決しようとする課題】
【０００４】
しかしながら、携帯通信装置が基地局装置の圏外にあるときは、遭難した場合に限られない。例えば、携帯通信装置がトンネルの中にあるとき、携帯通信装置は、基地局装置と通信ができず、所定期間基地局装置の圏外になる可能性がある。特許文献１記載の技術では、携帯通信装置は、遭難していないにもかかわらず、ビーコンを送信してしまう。また、この携帯通信装置は、このビーコンの送信によって、電池を多く消耗する問題がある。
【０００５】
本発明は、上記問題を解決すべくなされたもので、その目的は、電池の消耗を抑えることができる携帯通信装置、通信方法、及びプログラムを提供することにある。
【課題を解決するための手段】
【０００６】
（１）上記問題を解決するために、本発明の一態様は、近距離無線通信を行う近距離無線通信部と、自装置のおかれている環境に関する環境情報を検知する検知部と、前記検知部が検知した環境情報に基づいて異常状態にあるか否かを判定する異常状態判定部と、前記異常状態判定部が異常状態にあると判定したとき、前記近距離無線通信部を介して前記近距離無線通信を行う近距離無線通信制御部と、を備えることを特徴とする携帯通信装置と、を具備する。
【０００７】
（２）また、本発明の一態様は、上記携帯通信装置において、情報を送信する情報送信部を備え、前記異常状態判定部が異常状態にあると判定した場合、前記検知部が検知した前記環境情報を予め登録された宛先へ、前記情報送信部を介して送信する情報送信制御部を備えることを特徴とする。
【０００８】
（３）また、本発明の一態様は、上記携帯通信装置において、音を出力する音出力部を備え、前記異常状態判定部が異常状態にあると判定した場合、前記音出力部に音を出力させる音制御部を備える
ことを特徴とする。
【０００９】
（４）また、本発明の一態様は、上記携帯通信装置において、前記検知部は、自装置にかかる圧力及び自装置の外部の温度変化を示す外部環境情報を、前記環境情報として検知する圧力温度検知部を備え、前記異常状態判定部は、予め定められた閾値と前記外部環境情報とに基づいて異常状態にあるか否かを判定することを特徴とする。
【００１０】
（５）また、本発明の一態様は、上記携帯通信装置において、前記検知部は、自装置が移動していることを示す移動環境情報を、前記環境情報として検知する移動検知部を備え、前記異常状態判定部は、予め定められた閾値と前記移動環境情報とに基づいて自装置が落下していることを判定することを特徴とする。
【００１１】
（６）また、本発明の一態様は、上記携帯通信装置において、前記検知部は、自装置の位置を示す位置環境情報を、前記環境情報として検知する位置検知部を備え、前記異常状態判定部は、予め定められた閾値及びルートと上記位置環境情報とに基づいて異常状態にあるか否かを判定することを特徴とする。
【００１２】
（７）また、本発明の一態様は、上記携帯通信装置において、携帯者の操作を検出する操作部と、前記操作又は前記環境情報に基づいて前記異常状態の判定を開始するか否かを判定する監視開始判定部と、を備えることを特徴とする。
【００１３】
（８）また、本発明の一態様は、携帯通信装置における通信方法であって、検知部が、前記携帯通信装置のおかれている環境に関する環境情報を検知する検知過程と、異常状態判定部が、前記検知過程で検知した環境情報に基づいて異常状態にあるか否かを判定する異常状態判定過程と、近距離無線通信制御部が、前記異常状態判定過程で異常状態にあると判定したとき、近距離無線通信を行う近距離無線通信制御過程と、を有することを特徴とする通信方法である。
【００１４】
（９）また、本発明の一態様は、携帯通信装置のコンピュータに、前記携帯通信装置のおかれている環境に関する環境情報を検知する検知手段、前記検知手段で検知した環境情報に基づいて異常状態にあるか否かを判定する異常状態判定手段、前記異常状態判定手段で異常状態にあると判定したとき、近距離無線通信を行う近距離無線通信制御手段、を実行させるためのプログラムである。
【発明の効果】
【００１５】
この本発明によれば、携帯通信装置は、電池の消耗を抑えることができる。
【図面の簡単な説明】
【００１６】
【図１】本発明の第１の実施形態による携帯通信装置を用いた捜索システムを示すブロック図である。
【図２】同実施形態による携帯通信装置を示すブロック図である。
【図３】同実施形態における携帯通信装置の処理手順を示すフローチャートである。
【図４】本発明の第２の実施形態による携帯通信装置を示すブロック図である。
【図５】同実施形態における携帯通信装置の処理手順を示すフローチャートである。
【発明を実施するための形態】
【００１７】
[第１の実施形態]
以下、本発明の第１の実施形態による携帯通信装置を用いた捜索システムを、図面を参照して説明する。
図１は、本発明の第１の実施形態による捜索システム１を示す概略ブロック図である。捜索システム１は、複数の携帯通信装置(１０、１１及び１２)と、複数の基地局装置（２０及び２１）と、複数の交換局装置（３０、３１及び３２）とを備える。
【００１８】
携帯通信装置１０は、登山者（遭難者）が携帯している携帯通信装置である。携帯通信装置１１及び携帯通信装置１２は、携帯通信装置１０を捜索している救助者が携帯している携帯通信装置である。コンピュータ１３は、インターネット掲示板またはSNS（Social Networking Service）などのサーバ装置である。基地局装置２０及び２１は、携帯通信装置と無線通信を行う。交換局装置３０、３１及び３２は、基地局装置２０、２１及びコンピュータ１３の通信を、公衆回線網４０を介して行う。この公衆回線網４０は、例えば、インターネット網や公衆電話網である。
【００１９】
２つの携帯通信装置は、近距離にある場合、近距離通信を行う。この近距離通信とは、数十メートルから数百メートル以内の近距離にある通信装置間であり、携帯電話装置同士が、基地局装置を介さずに直接行う無線通信のことである。近距離無線通信では、例えば、雪山登山で用いられる４５７kHzの単一周波数の電波を利用する雪崩ビーコンが送信される。例えば、携帯通信装置１０と携帯通信装置１１、又は携帯通信装置１０と携帯通信装置１２は、近距離にある場合に、近距離通信を行う。
【００２０】
図２は、本発明の一実施の形態に係る携帯通信装置１０の構成を示す機能ブロック図である。図２に示すように、携帯通信装置１０は、検知部１１０、制御部１２０、情報送信部１３０、近距離無線通信部１４０、音出力部１５０及び記憶部１６０を含んで構成される。なお、図示はしないが、携帯通信装置１０は、音を入力するための音入力部と、画像を表示する表示部を備える。また、制御部１２０は携帯通信装置１０が備える各構成を制御する。
【００２１】
検知部１１０は、圧力温度検知部T１と、移動検知部M１と、位置検知部P１と、検知選択部Ｓ１とを備える。そして、検知部１１０は、１２０の制御部が備える異常状態判定部１２１又は情報送信制御部１２２からの入力に基づいて、携帯通信装置１０（遭難者）のおかれている環境に関する環境情報を検知する。検知部１１０は、検知した環境情報を異常状態判定部１２１又は情報送信制御部１２２に出力する。
【００２２】
検知選択部Ｓ１は、１２０の制御部が備える異常状態判定部１２１又は情報送信制御部１２２から入力された検知識別番号に対応した後述するセンサに検知トリガーを出力する。この検知識別番号とは、検知部１１０が備えるセンサを識別するための番号である。そして、検知選択部Ｓ１は、検知トリガーを出力した結果、検知識別番号に対応したセンサから環境情報が入力され、入力された環境情報を異常状態判定部１２１又は情報送信制御部１２２に出力する。
【００２３】
圧力温度検知部Ｔ１は、筐体圧力センサ１１１及び外気温センサ１１２を備える。圧力温度検知部Ｔ１は、検知選択部Ｓ１から入力された検知トリガーに基づき、携帯通信装置１０にかかる圧力又は携帯通信装置１０の外部の温度を示す外部環境情報を、環境情報として検知する。圧力温度検知部Ｔ１は、検知した環境情報を検知選択部Ｓ１に出力する。
【００２４】
具体的には、筐体圧力センサ１１１は、例えば、携帯通信装置１０筐体の外表面に設けられ、携帯通信装置１０筐体の外表面にかかる圧力を検出する。筐体圧力センサ１１１は、検出した圧力を示す圧力情報を、環境情報として検知選択部Ｓ１に出力する。また、外気温センサ１１２は、例えば、携帯通信装置１０筐体の外表面に設けられ、携帯通信装置１０筐体の外気温を検出する。外気温センサ１１２は、検出した外気温を示す温度情報を、環境情報として検知選択部Ｓ１に出力する。
【００２５】
移動検知部Ｍ１は、加速度センサ１１３及び高度センサ１１４を備える。移動検知部Ｍ１は、検知選択部Ｓ１から入力された検知トリガーに基づき、携帯通信装置１０が移動していることを示す移動環境情報を、環境情報として検知する。移動検知部Ｍ１は、検知した環境情報を検知選択部Ｓ１に出力する。
【００２６】
具体的には、加速度センサ１１３は、例えば、３軸の加速度センサで、互いに直交する３軸方向（Ｘ・Ｙ・Ｚ方向）に対してかかる加速度を検出する。加速度センサ１１３は、検出した加速度を示す加速度情報を、環境情報として検知選択部Ｓ１に出力する。また、高度センサ１１４は、気圧を測定することにより、高度を計算する。高度センサ１１４は、検出した高度を示す高度情報を、環境情報として検知選択部Ｓ１に出力する。
【００２７】
位置検知部Ｐ１は、ＧＰＳ位置センサ１１５を備える。位置検知部Ｐ１は、検知選択部Ｓ１から入力された検知トリガーに基づき、携帯通信装置１０の位置を示す位置環境情報を、環境情報として検出する。位置検知部Ｐ１は、検知した環境情報を検知選択部Ｓ１に出力する。
【００２８】
具体的には、ＧＰＳ位置センサ１１５は、測位衛星から受信した受信情報に基づいて携帯通信装置１０の現在位置（緯度及び経度）を計算する。ＧＰＳ位置センサ１１５は、検出した位置を示す位置情報を、環境情報として検知選択部Ｓ１に出力する。
【００２９】
制御部１２０は、異常状態判定部１２１、情報送信制御部１２２、近距離無線通信制御部１２３及び音出力制御部１２４を備える。
【００３０】
異常状態判定部１２１は、１６０の記憶部が備える異常状態閾値検索部１６５に検知識別番号を出力し、検知識別番号に関連付けられたセンサの異常状態閾値を、異常状態閾値検索部１６５から入力する。それとともに、異常状態判定部１２１は、検知部１１０の検知選択部Ｓ１に検知識別番号を出力し、検知識別番号に関連したセンサが検知した環境情報を検知選択部Ｓ１から入力する。そして、異常状態判定部１２１は、入力した閾値と環境情報に基づき、異常状態にあるか否かを判定する。異常状態にあるか否かの判定処理としては、次の５つの処理がある。
【００３１】
第一の異常状態判定処理として、異常状態判定部１２１は、筐体圧力センサ１１１に対応する検知識別番号を記憶部１６０が備える異常状態閾値検索部１６５に出力し、異常状態閾値検索部１６５から筐体圧力センサ１１１の上限値を入力する。それとともに、異常状態判定部１２１は、検知部１１０の検知選択部Ｓ１に筐体圧力センサ１１１に対応する検知識別番号を出力する。異常状態判定部１２１は、検知識別番号を出力した結果、筐体圧力センサ１１１が検知した圧力情報を検知選択部Ｓ１から入力する。そして、入力した圧力情報により示される圧力が、入力した圧力情報に関する上限値より大きい場合、異常状態判定部１２１は、異常状態にあると判定する。
例えば、携帯通信装置１０の携帯者が、雪崩に遭遇し雪に埋もれた場合、携帯通信装置１０筐体の外表面に圧力がかかることがある。この場合、異常状態判定部１２１は、異常状態にあると判定する。
【００３２】
第二の異常状態判定処理として、異常状態判定部１２１は、温度情報に関する上限値を、第一の異常状態判定処理と同様に記憶部１６０が備える異常状態閾値検索部１６５から入力する。それとともに、異常状態判定部１２１は、外気温センサ１１２が検知した温度情報を、第一の異常状態判定処理と同様に検知選択部Ｓ１から入力する。異常状態判定部１２１は、制御部１２０が備えるバッファまたは記憶部１６０に、前回入力した温度情報を記憶している。そして、異常状態判定部１２１は、前回及び今回入力した温度情報に基づき温度変化を計算し、その温度変化が、入力した温度情報に関する上限値より大きい場合、異常状態判定部１２１は、異常状態にあると判定する。
例えば、携帯通信装置１０の携帯者が、雪崩に遭遇し雪に埋もれた場合、携帯通信装置１０の外気温が急激に下がることがある。この場合、異常状態判定部１２１は、異常状態にあると判定する。
【００３３】
第三の異常状態判定処理として、異常状態判定部１２１は、加速度情報に関する上限値を、第一の異常状態判定処理と同様に記憶部１６０が備える異常状態閾値検索部１６５から入力する。それとともに、異常状態判定部１２１は、加速度センサ１１３が検知した加速度情報を、第一の異常状態判定処理と同様に検知選択部Ｓ１から入力する。異常状態判定部１２１は、制御部１２０が備えるバッファ又は記憶部１６０に、過去に入力した加速度情報を記憶している。そして、直近の所定期間に入力した加速度情報により示される加速度が、入力した加速度情報に関する上限値より大きい場合、異常状態判定部１２１は異常状態にあると判定する。
例えば、携帯通信装置１０の携帯者が雪崩に押し流された場合、携帯通信装置１０にかかる加速度の大きさが重力加速度の大きさより小さくなることがある。この場合、異常状態判定部１２１は、異常状態にあると判定する。
【００３４】
第四の異常状態判定処理として、異常状態判定部１２１は、高度変化情報に関する上限値を、第一の異常状態判定処理と同様に記憶部１６０の異常状態閾値検索部１６５から入力する。それとともに、異常状態判定部１２１は、高度センサ１１４が検知した高度情報を、第一の異常状態判定処理と同様に検知選択部Ｓ１から入力する。異常状態判定部１２１は、制御部１２０が備えるバッファ又は記憶部１６０に、前回入力した高度情報を記憶している。そして、前回及び今回入力した高度情報に基づき高度変化を計算し、その高度変化が、入力した高度情報に関する上限値より大きい場合、異常状態判定部１２１は異常状態にあると判定する。
例えば、携帯通信装置１０の携帯者が、雪崩に遭遇して落下した場合、携帯通信装置１０の高度が大きく変化することがある。この場合、異常状態判定部１２１は、異常状態にあると判定する。
【００３５】
第五の異常状態判定処理として、異常状態判定部１２１は、ＧＰＳ位置センサ１１５が検知した位置情報を第一の異常状態判定処理と同様に検知選択部Ｓ１から入力する。それとともに、異常状態判定部１２１は記憶部１６０が備える予定ルート検索部１６４に位置情報を出力し、位置情報から最近傍の予定ルート上の座標を、予定ルート検索部１６４から入力する。また、異常状態判定部１２１は、第一の異常状態判定処理と同様に記憶部１６０が備える異常状態閾値検索部１６５から位置情報に関する上限値を入力する。そして、入力した位置情報により示される位置と最近傍座標のユークリッド距離が、入力した位置情報に関する上限値より大きい場合、異常状態判定部１２１は、異常状態にあると判定する。
例えば、携帯通信装置１０の携帯者が、雪崩に遭遇した場合、携帯通信装置１０の位置が予定ルートから外れることがある。この場合、異常状態判定部１２１は、異常状態にあると判定する。
【００３６】
異常状態判定部１２１は、異常状態にあると判定した場合、情報送信制御部１２２、近距離無線通信制御部１２３及び音出力制御部１２４に異常状態トリガーを出力する。
【００３７】
情報送信制御部１２２は、異常状態判定部１２１から異常状態トリガーが入力されたとき、検知部１１０の検知選択部Ｓ１に検知識別番号を出力し、検知番号に対応するセンサが検知した環境情報を検知選択部Ｓ１から入力する。それとともに、情報送信制御部１２２は、記憶部１６０が備える宛先検索部１６６に、検索トリガーを出力し、宛先リストを宛先検索部１６６から入力する。そして、情報送信制御部１２２は、入力した環境情報と宛先情報を情報送信部１３０が備える送信部１３２に出力する。
【００３８】
近距離無線通信制御部１２３は、異常状態判定部１２１から異常状態トリガーが入力されたとき、予め記憶部１６０に登録されていた情報を近距離無線通信部１４０が備える送信部１３２に出力する。この情報は、携帯通信装置１０の携帯者が遭難に遭遇したことを示す情報である。
【００３９】
音出力制御部１２４は、異常状態判定部１２１から異常状態トリガーが入力されたとき、予め記憶部１６０に登録された音を示す情報を音出力部１５０に出力する。この音は、例えば、携帯通信装置１０の近くにいる人に異常状態を知らせるためのサイレンである。
【００４０】
情報送信部１３０は、アンテナ１３１及び送信部１３２を備える。情報送信部１３０は、基地局通信を用いて情報を送信する。具体的には、送信部１３２は、制御部１２０の情報送信制御部１２２から入力された宛先情報と環境情報に基づいて電気信号をアンテナ１３１に出力する。アンテナ１３１は送信部１３２から入力された電気信号に基づいて基地局通信により図１に示した基地局装置２０へ宛先情報と環境情報を送出する。なお、図示しないが、情報送信部１３０はアンテナ１３１を介して基地局通信を用いて情報を受信する受信部を備える。
【００４１】
近距離無線通信部１４０は、アンテナ１４１及び送信部１４２を備え、近距離通信を用いて情報を送信する。具体的には、送信部１４２は、制御部１２０の近距離無線通信制御部１２３から入力された情報に基づいて電気信号をアンテナ１４１に出力する。アンテナ１４１は送信部１４２から入力された電気信号に基づいて近距離通信により情報を送出する。なお、図示しないが、近距離無線通信部１４０はアンテナ１４１を介して近距離通信を用いて情報を受信する受信部を備える。
【００４２】
音出力部１５０は、制御部１２０の音出力制御部１２４から音を示す情報が入力され、入力された情報に基づいて音を出力する。音出力部１５０は、いわゆるスピーカである。
【００４３】
記憶部１６０は、予定ルート記憶部１６１と、異常状態閾値記憶部１６２と、宛先記憶部１６３と、予定ルート検索部１６４と、異常状態閾値検索部１６５及び宛先検索部１６６を備える。
【００４４】
予定ルート記憶部１６１には、予定ルート上に始点から終点まで所定間隔毎に置かれた点の座標（緯度及び経度）リストが記憶されている。この予定ルートとは、携帯通信装置１０の携帯者により予め登録された移動予定のルートである。
【００４５】
予定ルート検索部１６４は、制御部１２０の異常状態判定部１２１から位置情報が入力される。予定ルート検索部１６４は、入力された位置情報から最近傍の座標を予定ルート記憶部１６１の座標リストから選び、異常状態判定部１２１に出力する。
【００４６】
異常状態閾値記憶部１６２には、検知部１１０に備わるセンサを識別する検知識別番号と、異常状態判定部１２１が、異常状態にあるか否かを判定するための閾値情報とが関連付けて記憶されている。異常状態閾値記憶部１６２は、例えば圧力情報や温度情報に関する上限値などを記憶している。
【００４７】
異常状態閾値検索部１６５は、制御部１２０の異常状態判定部１２１から検知識別番号が入力される。異常状態閾値検索部１６５は、入力された検知識別番号と関連付けられている閾値情報（下限値又は上限値）を、異常状態閾値記憶部１６２から入力し、入力した閾値情報を異常状態判定部１２１に出力する。
【００４８】
宛先記憶部１６３には、検知部１１０が検知した環境情報を送信する予め定められた宛先リストが記憶されている。
【００４９】
宛先検索部１６６は、制御部１２０の情報送信制御部１２２から検索トリガーが入力されたとき、宛先リストを宛先記憶部１６３から入力し、入力した宛先リストを情報送信制御部１２２に出力する。この宛先は、例えば、電子メールアドレス、図１に示したコンピュータ１３が提供するインターネット掲示板又はSNSサイトなどのアドレスがある。
【００５０】
図３は携帯通信装置１０の処理手順を示すフローチャートである。制御部１２０の異常状態判定部１２１は、検知部１１０から定期的に環境情報を入力する。入力する順番は、筐体圧力センサ１１１、外気温センサ１１２、加速度センサ１１３、高度センサ１１４、ＧＰＳ位置センサ１１５の順である。以下、このフローチャートに沿って説明する。
【００５１】
まず、ステップＳＴ１０において、携帯通信装置１０は、表面の圧力を取得する。つまり、異常状態判定部１２１が、検知部１１０の筐体圧力センサ１１１を用いて携帯通信装置１０筐体の外表面にかかる圧力を検知する。
【００５２】
次に、ステップＳＴ２０において、携帯通信装置１０は、温度を取得する。つまり、異常状態判定部１２１が、検知部１１０の外気温センサ１１２を用いて携帯通信装置１０筐体の外気温度を検知する。
【００５３】
次に、ステップＳＴ３０において、携帯通信装置１０は、加速度を取得する。つまり、異常状態判定部１２１が、検知部１１０の加速度センサ１１３を用いて携帯通信装置１０の加速度を検知する。
【００５４】
次に、ステップＳＴ４０において、携帯通信装置１０は、高度を取得する。つまり、異常状態判定部１２１が、検知部１１０の高度センサ１１４により携帯通信装置１０の高度の変化を検知する。
【００５５】
次に、ステップＳＴ５０において、携帯通信装置１０は、ＧＰＳにより現在地を取得する。つまり、異常状態判定部１２１が、検知部１１０のＧＰＳ位置センサ１１５により携帯通信装置１０の位置を検知する。
【００５６】
次に、ステップＳＴ６０において、携帯通信装置１０は、各種センサの値から遭難状態になっているか判断を行う。つまり、異常状態判定部１２１が、前述した5つの異常状態判定処理を用いて、異常状態にあるか否かを判定する。ここで、５つの異常状態判定処理のうちいずれか又は複数の処理が異常状態（つまり、遭難状態）にあると判定した場合、異常状態判定部１２１は、異常状態トリガーを近距離無線通信制御部１２３、情報送信制御部１２２及び音出力制御部１２４に出力する。そして携帯通信装置１０の状態はステップＳＴ７０に移動する。一方、異常状態判定部１２１が、異常状態ではない（つまり、遭難状態ではない）と判定した場合、携帯通信装置１０の状態はステップＳＴ１０に戻る。
【００５７】
次に、ステップＳＴ７０において、携帯通信装置１０は、ＧＰＳにより自装置の現在地を取得する。つまり、情報送信制御部１２２が、検知部１１０のＧＰＳ位置センサ１１５により携帯通信装置１０の位置を検知する。
【００５８】
次に、ステップＳＴ８０において、携帯通信装置１０は、ビーコンを出力する。つまり、近距離無線通信制御部１２３が、予め定められた携帯者が遭難したことを示す情報を、近距離無線通信を用いて送出する。
【００５９】
次に、ステップＳＴ９０において、携帯通信装置１０は、現在地を事前に登録した相手にメール送信する。つまり、情報送信制御部１２２が、基地局通信を用いて予め定められた宛先に環境情報を送信する。
【００６０】
次に、ステップＳＴ１００において、携帯通信装置１０は、スピーカから大音量を鳴動する。つまり、音出力制御部１２４が、予め定められたサイレンなどの音を出力する。
【００６１】
以上説明したように、携帯通信装置１０は、異常状態にあると判定したとき、近距離無線でビーコンを送信する。これにより、携帯通信装置１０は、自装置の携帯者が遭難に遭遇したとき、周辺の人に速やかに救助を求めることができる。さらに、携帯通信装置１０は、自装置が基地局装置の圏外にあったとしても、異常状態にないと判定した場合、近距離無線でビーコンを送信しないため、電池の消耗を抑えることができる。
【００６２】
なお、携帯通信装置１０は、異常状態にあると判定した場合、予め登録されたメールアドレス、インターネット掲示板またはSNSサイトへ、自装置の環境情報を送信する。そのため、携帯通信装置１０は、自装置の携帯者が遭難に遭遇したしたとき、周辺及び遠方の人に救助を求めることができる。
【００６３】
なお、携帯通信装置１０は、異常状態にあると判定した場合、予め登録されたサイレンなどの音を出力する。そのため、携帯通信装置１０は、自装置の携帯者が遭難に遭遇したとき、周辺の人に救助を求めることができる。
【００６４】
なお、携帯通信装置１０は、自装置の携帯者が雪崩に遭遇し雪に埋もれている場合、自装置の外表面に圧力がかかることがあるため、自装置筐体の外表面にかかる圧力を示す情報に基づき、異常状態にあると判定することができる。また、同様の場合、自装置の外気温が急激に変化することがあるため、携帯通信装置１０は、自装置の外部の温度を示す情報に基づき、異常状態にあると判定することができる。
【００６５】
なお、携帯通信装置１０は、自装置の携帯者が雪崩に流された場合、自装置に加速度がかかることがあるため、自装置にかかる加速度を示す情報に基づき、異常状態にあると判定することができる。また、同様の場合、自装置の高度が急激に変化することがあるため、携帯通信装置１０は、自装置の高度を示す情報に基づき、異常状態にあると判定することができる。
【００６６】
なお、携帯通信装置１０は、自装置の携帯者が雪崩に遭遇した場合、予定していたルートから外れることがあるため、自装置の位置を示す情報に基づき、異常状態にあると判定することができる。
【００６７】
[第２の実施形態]
図４は、本発明の第２の実施形態に係る携帯通信装置１０の構成を示す機能ブロック図である。この第２の実施形態における携帯通信装置１０が前記第１の実施形態と異なる点は、携帯通信装置１０に操作部１７０、制御部１２０に監視開始判定部１２５が追加された点である。
【００６８】
操作部１７０は、監視開始ボタン１７１を備え、携帯者による監視開始ボタン１７１の押下を検知する。
【００６９】
監視開始判定部１２５は、制御部１２０の異常状態判定部１２１が検知部１１０から環境情報の読み込みを開始するか否かを判定し、開始すると判定した場合は、異常状態判定部１２１に監視開始トリガーを出力する。監視開始判定部１２５は下記の３つの監視開始判定処理のうち、いずれかを定期的に実行する。
【００７０】
第一の監視開始判定処理としては、操作部１７０が携帯者による監視開始ボタン１７１の押下を検出したとき、監視開始と判定する。
【００７１】
第二の監視開始判定処理としては、監視開始判定部１２５が検知部１１０のＧＰＳ位置センサ１１５から位置情報を入力するとともに、予定ルート検索部１６４から位置情報に最近傍の予定ルート上の座標を入力する。そして、監視開始判定部１２５は、入力した位置情報と最近傍の座標間のユークリッド距離が、入力した位置情報の上限値よりも小さいとき、監視開始判定部１２５は、監視開始と判定する。つまり、携帯通信装置１０の携帯者が予定ルートに入ったとき、監視開始判定部１２５は、監視開始と判定する。
【００７２】
第三の監視開始判定処理としては、監視開始判定部１２５は、検知部１１０の加速度センサ１１３から加速度情報を入力する。監視開始判定部１２５は、入力した加速度情報が予め記憶部１６０に登録された携帯者の通常時の歩行パターンと異なるとき、監視開始と判定する。
【００７３】
異常状態判定部１２１は、監視開始判定部１２５から監視開始トリガーを入力すると、検知部１１０からの環境情報の読み込みを開始する。
【００７４】
図５は携帯通信装置１０の第２の実施形態における処理手順を示すフローチャートである。この第２の実施形態における処理手順が前記第１の実施形態と異なる点は、ステップＳＴ５が追加された点である。
【００７５】
ステップＳＴ５において、携帯通信装置１０は、監視開始判定部１２５が、上述した監視開始判定処理を用いて、監視を開始するか否かを判定する。監視開始判定部１２５が監視を開始すると判定した場合、監視開始判定部１２５は、異常状態判定部１２１に監視開始トリガーを出力し、携帯通信装置１０の状態はＳＴ１０へ移動する。また、監視開始判定部１２５が監視を開始しないと判定した場合、携帯通信装置１０の状態はステップＳＴ５に戻る。
【００７６】
以上説明したように、携帯通信装置１０では、携帯者が監視開始ボタンを押下したか否か、携帯者が予定ルートに入ったか否か、又は携帯者の歩行パターンが通常か否かに基づいて、監視を開始するべきか否かを判定する。つまり、携帯通信装置１０は、携帯者が遭難に遭遇するような状況ではないときは、センサの検知を行わない、または一部のセンサのみ検知を行う。これにより、携帯通信装置１０は、全てのセンサの検知による電池の消耗を抑えることができる。
【００７７】
なお、上記各実施形態において、異常状態判定部１２１は、予め定めた期間に、ＧＰＳ位置センサ１１５が検出した位置情報に変化がないとき、つまり、携帯通信装置１０が移動しないときに、異常状態にあると判定してもよい。登山者が遭難に遭遇した場合には、携帯通信装置１０が移動しない可能性が高い。つまり、携帯通信装置１０は、登山者が遭難に遭遇したことを確実に検出でき、周辺及び遠方の人に救助を求めることができる。また、携帯通信装置１０を落としたり忘れたりした場合にも、携帯通信装置１０が移動しなくなる。この場合に、携帯通信装置１０の持ち主は、携帯通信装置１０を発見できる。
また、上記各実施形態において、異常状態判定部１２１は、予め定めた期間に、ＧＰＳ位置センサ１１５が検出した位置情報に変化がないとき、かつ、位置情報が山や山間部、ハイキングコースを示すときに（又は、都市部ではないことを示すときに）、異常状態にあると判定してもよい。
なお、本発明は、上記の各実施形態に限定されるものではなく、本発明の趣旨を逸脱しない範囲で変更可能である。
【００７８】
なお、上述の携帯通信装置１０は内部に、コンピュータシステムを有している。そして、上述した監視開始の判定及び異常状態の判定の処理過程は、プログラムの形式でコンピュータ読み取り可能な記録媒体に記憶されており、このプログラムをコンピュータが読み出して実行することによって、上記処理が行われる。ここでコンピュータ読み取り可能な記録媒体とは、磁気ディスク、光磁気ディスク、ＣＤ−ＲＯＭ、ＤＶＤ−ＲＯＭ、半導体メモリ等をいう。また、このコンピュータプログラムを通信回線によってコンピュータに配信し、この配信を受けたコンピュータが当該プログラムを実行するようにしても良い。
【符号の説明】
【００７９】
１  捜索システム
１０  携帯通信装置
１１  携帯通信装置
１２  携帯通信装置
１３  コンピュータ
２０  基地局装置
２１  基地局装置
３０  交換局装置
３１  交換局装置
３２  交換局装置
４０  公衆回線網
１１０  検知部
Ｔ１  圧力温度検知部
１１１  筐体圧力センサ
１１２  外気温センサ
Ｍ１  移動検知部
１１３  加速度センサ
１１４  高度センサ
Ｐ１  位置検知部
１１５  ＧＰＳ位置センサ
Ｓ１  検知選択部
１２０  制御部
１２１  異常状態判定部
１２２  情報送信制御部
１２３  近距離無線通信制御部
１２４  音出力制御部
１２５  監視開始判定部
１３０  情報送信部
１３１  アンテナ
１３２  送信部
１４０  近距離無線通信部
１４１  アンテナ
１４２  送信部
１５０  音出力部
１６０  記憶部
１６１  予定ルート記憶部
１６２  異常状態閾値記憶部
１６３  宛先記憶部
１６４  予定ルート検索部
１６５  異常状態閾値検索部
１６６  宛先検索部
１７０  操作部
１７１  監視開始ボタン
【図１】
2013251718.tif 000003
【図２】
2013251718.tif 000004
【図３】
2013251718.tif 000005
【図４】
2013251718.tif 000006
【図５】
2013251718.tif 000007